(57)【要約】【課題】撮影条件が記憶装置の空き容量によって制限されることなく連写撮影を行なうこと。【解決手段】ディジタルカメラ１は、撮影された画像を記憶するメモリ１９と、連写撮影条件を設定する操作部９と、メモリ１９の空き容量を検出する容量検出部２１と、操作部９において設定された連写撮影条件に基づき取得される画像の容量が容量検出部２１により検出されたメモリ１９の空き容量を超えているときに、メモリ１９に記憶されているデータ容量を減らして、空き容量を確保する制御部１１とを備える。【選択図】図１
2009044296.tif 000002
【特許請求の範囲】
【請求項１】
撮影された画像を記憶する画像記憶部と、
連写撮影条件を設定する撮影条件設定部と、
前記画像記憶部の空き容量を検出する空き容量検出部と、
前記撮影条件設定部において設定された連写撮影条件に基づき取得される画像の容量が前記空き容量検出部により検出された前記画像記憶部の空き容量を超えているときに、前記画像記憶部に記憶されているデータ容量を減らして、空き容量を確保する制御部と
を備えるディジタルカメラ。
【請求項２】
撮影された画像のサムネイル画像を作成して前記画像記憶部に記憶するサムネイル画像作成部を備え、
前記制御部が、前記画像記憶部に記憶されている前記サムネイル画像を削除することにより、空き容量を確保する請求項１に記載のディジタルカメラ。
【請求項３】
前記画像記憶部が、画像に優先順位をつけて記憶し、
前記制御部が、前記画像記憶部に記憶されている優先順位の低い画像から削除することにより、空き容量を確保する請求項１に記載のディジタルカメラ。
【請求項４】
前記制御部が、時間的に近接して撮影された複数枚の画像について、その優劣を判定し、重要度の低い画像から削除することにより、空き容量を確保する請求項１に記載のディジタルカメラ。
【請求項５】
前記制御部が、前記画像記憶部に記憶されている画像を読み出して圧縮し、前記画像記憶部に再度記憶することにより空き容量を確保する請求項１に記載のディジタルカメラ。
【請求項６】
前記制御部は、前記画像記憶部に記憶されている複数枚の画像を読み出して連結した後圧縮し、前記画像記憶部に再度記憶することにより空き容量を確保する請求項１に記載のディジタルカメラ。
【発明の詳細な説明】
【技術分野】
【０００１】
本発明は、ディジタルカメラに関するものである。
【背景技術】
【０００２】
従来、連写撮影時に設定された撮影条件では記憶装置における空き容量が足りない場合には、これから撮影される画像の連写撮影条件を変更したり、連写撮影枚数を変更したりすることにより、連写撮影を可能にするディジタルカメラが知られている（特許文献１参照）。
【特許文献１】特開２００５−１４２７０４号公報
【発明の開示】
【発明が解決しようとする課題】
【０００３】
しかしながら、上記特許文献１に開示されている手法では、例えば、連写撮影条件を変更することにより画質が低下したり、連写撮影枚数を制限することにより所望の撮影シーンを撮り逃したりする不都合があり、ユーザが満足できない撮影結果になり得るという問題があった。
【０００４】
本発明は、このような事情に鑑みてなされたものであって、撮影条件が記憶装置の空き容量によって制限されることなく連写撮影を行なうことができるディジタルカメラを提供することを目的とする。
【課題を解決するための手段】
【０００５】
上記課題を解決するために、本発明は以下の手段を採用する。
本発明は、撮影された画像を記憶する画像記憶部と、連写撮影条件を設定する撮影条件設定部と、前記画像記憶部の空き容量を検出する空き容量検出部と、前記撮影条件設定部において設定された連写撮影条件に基づき取得される画像の容量が前記空き容量検出部により検出された前記画像記憶部の空き容量を超えているときに、前記画像記憶部に記憶されているデータ容量を減らして、空き容量を確保する制御部とを備えるディジタルカメラを提供する。
【０００６】
本発明によれば、撮影条件設定部により連写撮影条件が設定されると、空き容量検出部が画像記憶部の空き容量を検出し、制御部が、設定された連写撮影条件に応じて取得される画像の容量と、空き容量検出部により検出された画像記憶部の空き容量とを比較する。そして、比較の結果、取得される画像の容量が画像記憶部の空き容量を超えているときは、制御部により、画像記憶部に記憶されているデータ容量が減らされて空き容量が確保されるので、これから行われる連写撮影に対して、連写撮影条件や連写撮影枚数の変更等を行わなくても、取得した全ての画像を記憶することが可能になる。
したがって、空き容量を気にせずに最適な撮影条件で所望の連写撮影を行うことができる。
【０００７】
上記発明においては、撮影された画像のサムネイル画像を作成して前記画像記憶部に記憶するサムネイル画像作成部を備え、前記制御部が、前記画像記憶部に記憶されている前記サムネイル画像を削除することにより、空き容量を確保することとしてもよい。
【０００８】
このように構成することで、画像記憶部の空き容量が足りないときには、サムネイル画像作成部によって作成されて画像記憶部に記憶されたサムネイル画像が制御部により削除され、これにより画像記憶部の空き容量が確保される。
ここで、サムネイル画像とは、撮影された画像を一覧表示するために作成される縮小された画像のことをいい、撮影された画像をもとに再度作成し直すことができる。したがって、サムネイル画像を削除すれば、画像記憶部に記憶されている撮影された画像を削除することなく空き容量を確保することができる。なお、削除したサムネイル画像は、例えば、画像記憶部のデータ容量に空きが出来次第再度作成し直すこととすればよい。
【０００９】
また、上記発明においては、前記画像記憶部が、画像に優先順位をつけて記憶し、前記制御部が、前記画像記憶部に記憶されている優先順位の低い画像から削除することにより、空き容量を確保することとしてもよい。
【００１０】
このように構成することで、画像記憶部の空き容量が足りないときには、画像記憶部によって優先順位をつけられて記憶された画像が、制御部により優先順位の低い画像から削除され、これにより画像記憶部の空き容量が確保される。したがって、画像記憶部に記憶されている撮影された画像のうち、重要度の高い画像を残して空き容量を確保することができる。
【００１１】
また、上記発明においては、前記制御部が、時間的に近接して撮影された複数枚の画像について、その優劣を判定し、重要度の低い画像から削除することにより、空き容量を確保することとしてもよい。
【００１２】
このように構成することで、画像記憶部の空き容量が足りないときには、制御部により、時間的に近接して撮影された画像間において優劣が判定されて、重要度の低い画像から削除され、これにより画像記憶部の空き容量が確保される。この場合、時間的に近接して撮影された画像は、撮影シーン的にも近似している可能性が大きいので、画像記憶部に記憶されている撮影された画像のうち、重複するような撮影シーンの画像を効率よく削除して、空き容量を確保することができる。
【００１３】
また、上記発明においては、前記制御部が、前記画像記憶部に記憶されている画像を読み出して圧縮し、前記画像記憶部に再度記憶することにより空き容量を確保することとしてもよい。
このように構成することで、画像記憶部の空き容量が足りないときには、画像記憶部に記憶されている画像が制御部により圧縮されることにより画像記憶部の空き容量が確保される。この場合、画像記憶部に記憶されている撮影された画像を残して空き容量を確保することができる。
【００１４】
また、上記発明においては、前記制御部は、前記画像記憶部に記憶されている複数枚の画像を読み出して連結した後圧縮し、前記画像記憶部に再度記憶することにより空き容量を確保することとしてもよい。
このように構成することで、画像記憶部の空き容量が足りないときには、複数枚の画像が制御部により連結された後圧縮されることにより画像記憶部の空き容量が確保される。この場合、各画像を個々に圧縮する場合に比べて、画像管理用の領域を有効に使うことができ、効率よく空き容量を確保することができる。
【発明の効果】
【００１５】
本発明によれば、これから行う連写撮影に対して連写撮影条件や連写撮影枚数の変更等を行う必要がなく、最適な撮影条件で所望の連写撮影を行うことができるという効果を奏する。
【発明を実施するための最良の形態】
【００１６】
〔第１の実施形態〕
以下、本発明の第１の実施形態に係るディジタルカメラについて、図面を参照して説明する。
本実施形態に係るディジタルカメラ１は、図１に示すように、被写体からの光を結像させる撮像光学系３と、該撮像光学系３により結像された像を撮影して画像信号を取得するＣＣＤ等の撮像素子５と、該撮像素子５により取得された画像信号を処理する処理部７と、撮影条件（連写撮影条件）を設定する操作部（撮影条件設定部）９と、該操作部９において設定された撮影条件に基づいて撮像光学系３，撮像素子５および処理部７を制御する制御部１１と、処理部７において得られた撮影画像情報（撮影された画像）を表示する背面液晶などの液晶ディスプレイ（以下、単に「ＬＣＤ」という。）１３とを備えている。
【００１７】
処理部７は、撮像素子５からの画像信号が入力されて、γ補正、色分離および色マトリクス等の高画質化の画像処理を行う画像処理部１５と、該画像処理部１５により処理された撮影画像情報に基づいてサムネイル画像データを作成するサムネイル画像作成部１７と、該サムネイル画像作成部１７により作成されたサムネイル画像データおよび前記画像処理部１５により処理された撮影画像情報を記憶するメモリ（画像記憶部）１９と、前記制御部１１からの制御信号に基づいて前記メモリ１９の空き容量およびサムネイル画像の総容量を検出する容量検出部（空き容量検出部）２１とを備えている。
【００１８】
操作部９は、ユーザが単写撮影モードと連写撮影モードとを切り換えたり、連写撮影条件や連写撮影枚数等の撮影条件を設定したりするものである。
制御部１１は、連写撮影モード時において、操作部９において設定された撮影条件に基づいてこれから取得される画像の容量を算出し、容量検出部２１により検出されるメモリ１９の空き容量と比較するようになっている。そして、取得される画像の容量がメモリ１９の空き容量を超える場合には、メモリ１９に記憶されている全てのサムネイル画像データを削除することにより、メモリ１９に記憶されているデータ容量を減らして空き容量を確保するようになっている。
【００１９】
このように構成された本実施形態に係るディジタルカメラ１の作用について説明する。
本実施形態に係るディジタルカメラ１を起動させると、撮像光学系３により撮像素子５の撮像面に結像される被写体の像が撮像素子５によって撮影され、その画像信号が撮像素子５から画像処理部１５へ出力される。画像処理部１５に入力された画像信号は、γ補正、色分離および色マトリクス等の画像処理により高画質化された後、撮影画像情報としてメモリ１９を介してＬＣＤ１３に送られ、ＬＣＤ１３においてフォーマット変換されて表示される。
【００２０】
この状況で、操作部９の図示しないレリーズボタンが所定量押し込まれると、操作部９から制御部１１にレリーズ信号が出力され、制御部１１により適正露光になるように撮像光学系３および撮像素子５等が制御されて、撮像素子５により画像信号が取得される。撮像素子５により取得された画像信号は、画像処理部１５により画像処理されて撮影画像情報に変換された後、メモリ１９に記憶されるとともにＬＣＤ１３に送られて静止画像として表示される。
【００２１】
次に、本実施形態に係るディジタルカメラ１の連写撮影時の動作を、図２に示すフローチャート図を用いて詳細に説明する。
操作部９において、連写撮影モードに切り替えられ、連写撮影条件および連写撮影枚数等の撮影条件が設定されると（ステップＳＡ１）、設定された撮影条件が操作部９から制御部１１に送られて、制御部１１において、撮影条件に基づき取得される画像容量（以下、単に「取得画像容量」という。）ａが算出される（ステップＳＡ２）。
【００２２】
また、制御部１１から撮影条件に基づく制御信号が容量検出部２１に出力され、容量検出部２１によりメモリ１９の空き容量が検出される。検出された空き容量は容量検出部２１から制御部１１に送られて、制御部１１において、メモリ１９に記憶可能なデータ容量（以下、単に「記憶可能容量」という。）ｂが算出される（ステップＳＡ３）。
【００２３】
そして、制御部１１において、取得画像容量ａと記憶可能容量ｂとが比較されて、連写撮影が可能か否かが判断される（ステップＳＡ４）。
ステップＳＡ４において、記憶可能容量ｂが取得画像容量ａより大きいと、制御部１１により、連写撮影が可能と判断されて（ステップＳＡ４「ＹＥＳ」）、操作部９において設定された撮影条件に基づき撮像光学系３、撮像素子５等が制御されて、撮影が開始される（ステップＳＡ５）。
【００２４】
一方、ステップＳＡ４において、取得画像容量ａが記憶可能容量ｂより大きいと、制御部１１により、連写撮影が不可能と判断されて（ステップＳＡ４「ＮＯ」）、メモリ１９のデータ容量の削除処理が開始される。まず、制御部１１から容量検出部２１にメモリ１９に記憶されているサムネイル画像の総容量を検出する指示が送られて、容量検出部２１によりサムネイル画像データの総容量が検出される。
【００２５】
検出されたサムネイル画像データの総容量は、容量検出部２１から制御部１１に送られて、制御部１１において、サムネイル画像データの総容量を削除した場合のメモリ１９の空き容量（以下、単に「拡大記憶可能容量」という。）ｃが算出される（ステップＳＡ６）。
【００２６】
そして、制御部１１において、取得画像容量ａと拡大記憶可能容量ｃとが比較されて、メモリ１９に記憶されている全てのサムネイル画像データを削除することにより連写撮影が可能になるか否かが判断される（ステップＳＡ７）。
ステップＳＡ７において、拡大記憶可能容量ｃが取得画像容量ａより大きいと、制御部１１により連写撮影が可能と判断されて（ステップＳＡ７「ＹＥＳ」）、メモリ１９に記憶されている全てのサムネイル画像データの削除処理が行われる（ステップＳＡ８）。
【００２７】
これにより、メモリ１９に記憶されているデータ容量が減らされて空き容量が確保されるので、設定された撮影条件の連写撮影条件や連写撮影枚数の変更等を行わなくても、取得する撮影画像情報をメモリ１９に記憶することが可能になる。
メモリ１９の空き容量が確保されると、制御部１１により、操作部９において設定された撮影条件に基づき撮像光学系３、撮像素子５等が制御されて、撮影が開始される（ステップＳＡ５）。
【００２８】
一方、ステップＳＡ７において、取得画像容量ａが拡大記憶可能容量ｃより大きいと、制御部１１により連写撮影が不可能と判断され（ステップＳＡ７「ＮＯ」）、この場合、ＬＣＤ１３に連写撮影不可の文字が表示されて（ステップＳＡ９）、撮影は開始されない。
【００２９】
続いて、ステップ５Ａにおいて撮影が開始されると、制御部１１において、操作部９のレリーズボタンが押し込まれたか否かが判断される（ステップＳＡ１０）。これにより、レリーズボタンが押し込まれている間（ステップＳＡ１０「ＹＥＳ」）、操作部９から制御部１１にレリーズ信号が出力され、制御部１１により適正露光になるように撮像光学系３および撮像素子５等が制御されて、撮像素子５により連続して複数の画像信号が取得される（ステップＳＡ１１）。撮像素子５により順次取得される画像信号は、画像処理部１５により画像処理されて撮影画像情報に変換された後、メモリ１９に記憶される（ステップＳＡ１２）。
【００３０】
この場合に、設定されている撮影枚数の撮影画像情報が取得される前にレリーズボタンの押し込みが解除されると、連写撮影が中断され、制御部１１により、設定された撮影枚数の撮影が終了していないと判断されて（ステップＳＡ１３「ＮＯ」）、ステップＳＡ１０に戻り、次にレリーズボタンが押されるまで待機状態になる。
一方、設定されている撮影枚数の撮影が終了したと判断されると（ステップＳＡ１３「ＹＥＳ」）、レリーズボタンが押し込まれていても撮影は終了する（ステップＳＡ１４）。
【００３１】
以上説明したように、本実施形態に係るディジタルカメラ１によれば、連写撮影を行うためのメモリ１９の空き容量が不足した場合に、メモリ１９に記憶されているサムネイル画像データが削除されて空き容量が確保されるので、これから行われる連写撮影に対して連写撮影条件や連写撮影枚数等の変更を行う必要がない。また、削除したサムネイル画像は、撮影画像情報をもとに再度作成し直すことが可能なので、サムネイル画像を削除することにより、メモリ１９に記憶されている撮影画像情報を削除することなく空き容量を確保することができる。したがって、メモリ１９の空き容量を気にせずに最適な撮影条件で所望の連写撮影を行うことができる。
なお、削除したサムネイル画像は、メモリ１９のデータ容量に空きが出来次第再度作成し直すこととしてもよい。
【００３２】
なお、本実施形態においては、メモリ１９に記憶されている全てのサムネイル画像データを削除することとしたが、これに代えて、例えば、取得画像容量ａを確保する量のサムネイル画像データを削除してメモリ１９の空き容量を必要な量だけ確保することとしてもよい。
【００３３】
〔第２の実施形態〕
次に、本発明の第２の実施形態に係るディジタルカメラ１Ａについて説明する。
本実施形態に係るディジタルカメラ１Ａは、制御部１１Ａが、サムネイル画像データの削除に代えて、連写撮影によって取得された撮影画像情報に優先順位をつけてメモリ１９Ａに記憶させ、優先順位の低い撮影画像情報から削除していく点が第１の実施形態と異なる。
以下、第１の実施形態に係るディジタルカメラ１と構成を共通する箇所には、同一符号を付して説明を省略する。
【００３４】
制御部１１Ａは、連写撮影により取得される複数枚の撮影画像情報を、連写撮影の組ごとに優先順位をつけてメモリ１９に記憶させるようになっている。具体的には、連写撮影のように連続する複数枚の高速撮影を行う場合には、連写撮影の開始直後、特に、レリーズボタンが押しこまれた瞬間に近いほどユーザが所望する撮影シ−ンであり、連射撮影の後半になると重要度の低い撮影シーンを含んでいることが多いと考えられる。そこで、制御部１１Ａは、各連写撮影において、最初の撮影画像情報の優先順位が最も高く、撮影順に優先順位を下げて最後の撮影画像情報の優先順位が最も低くなるように、撮影画像情報に優先順位をつけてメモリ１９に記憶させるようになっている。
【００３５】
本実施形態に係るディジタルカメラ１Ａの連写撮影時の動作を説明する。
制御部１１Ａにおいて、取得画像容量ａが記憶可能容量ｂより大きく、連写撮影が不可能と判断されると、取得画像容量ａおよび記憶可能容量ｂに基づいて、メモリ１９に記憶されている撮影画像情報のうち削除しなければならないデータ容量（以下、単に「削除記憶容量」という。）ｄが算出される。
そして、制御部１１Ａにより、メモリ１９に記憶されている撮影画像情報のうち、削除記憶容量ｄに相当する量の撮影画像情報が優先順位の低い順に削除される。
【００３６】
この場合、図３（ａ）〜図３（ｃ）に示すように、連写撮影の組ごとに優先順位をつけられた複数枚数群Ａ，Ｂ，Ｃがメモリ１９に記憶されている場合には、撮影枚数の多い複数枚数群の優先順位の低い撮影画像情報、例えば、複数枚数群Ｃの撮影画像情報６，５，４、複数枚数群Ａの撮影画像情報５，４、複数枚数群Ｂの撮影画像情報３等から削除していき、複数枚数群Ａ，Ｂ，Ｃの撮影画像情報を極力均等に残すように、交互に優先順位の低い撮影画像情報を削除していけばよい。このようにすることで、いずれかの複数枚数群Ａ，Ｂ，Ｃの撮影画像情報だけが極端に削除されることを防ぐことができる。
【００３７】
これにより、メモリ１９Ａに取得画像容量ａに相当する量の空き容量が確保され、操作部９において設定された撮影条件の変更等を行なわなくても、取得する撮影画像情報をメモリ１９に記憶することが可能になる。
なお、メモリ１９に記憶されている撮影画像情報を削除する前に、削除される各撮影画像情報をＬＣＤ１３に表示してユーザが確認できるようにしてもよい。
【００３８】
以上本実施形態に係るディジタルカメラ１Ａによれば、連写撮影を行うためのメモリ１９の空き容量が不足した場合に、優先順位をつけられて記憶された撮影画像情報が優先順位の低い順に削除されて空き容量が確保されるので、重要度の高い撮影画像情報を残して連写撮影を行なうことができる。
【００３９】
なお、本実施形態に係るディジタルカメラ１Ａは、以下のように変形することができる。
例えば、図４に示すように、ディジタルカメラ１Ｂは、画像処理部１５において処理された撮影画像情報が制御部１１Ｂに一旦入力され、制御部１１Ｂにおいて各撮影画像情報の優先順位が判別されてからメモリ１９に送られるようになっている。
【００４０】
この場合、制御部１１Ｂは、各連写撮影において、撮影シーンに変化がなくほぼ近似するような複数の撮影画像情報を優先して優先順位を低くつけ、その他の撮影画像情報については、撮影順に優先順位が低くなるように記憶させることとすればよい。
このようにすることで、重要度が低くかつ重複するような撮影シーンの撮影画像情報を削除して、メモリ１９の空き容量を効率よく確保することが可能になる。
【００４１】
〔第３の実施形態〕
次に、本発明の第３の実施形態に係るディジタルカメラ１Ｃについて説明する。
本実施形態に係るディジタルカメラ１Ｃは、制御部１１Ｃが、サムネイル画像データの削除に代えて、時間的に近接して撮影された複数枚の撮影画像情報について優劣を判定し、重要度の低い撮影画像情報から削除していく点が第１の実施形態と異なる。
以下、第１の実施形態に係るディジタルカメラ１と構成を共通する箇所には、同一符号を付して説明を省略する。
【００４２】
制御部１１Ｃは、メモリ１９に記憶されている撮影画像情報のうち、タイムスタンプ等で表示される各撮影画像情報の撮影時刻に基づいて、撮影時刻が現在の時刻から近く、かつ、撮像素子５により現在撮影されている被写体の画像と同じような撮影シーンの撮影画像情報を検出するようになっている。
【００４３】
また、制御部１１Ｃは、メモリ１９Ｃにおいて直近に同じような撮影シーンの撮影画像情報が検出された場合には、これから行なわれる撮影によって取得される撮影画像情報は重要度が高く、直近に撮影された撮影画像情報は取り直しと見なして重要度が低いものと判断するようになっている。
【００４４】
本実施形態に係るディジタルカメラ１Ｃの連写撮影時の動作を説明する。
制御部１１Ｃにおいて、取得画像容量ａが記憶可能容量ｂより大きく、連写撮影が不可能と判断されると、メモリ１９に記憶されている撮影画像情報のうち、直近で、かつ、これから行なわれる撮影と同じような撮影シーンの撮影画像情報が検出される。このようにすることで、時間的に近接して撮影された画像は、撮影シーン的にも近似している可能性が大きいので、重複するような撮影シーンの撮影画像情報を効率よく検出することができる。
【００４５】
制御部１１により、メモリ１９Ｃにおいて、直近、かつ、同じような撮影シーンの撮影画像情報が検出されると、図５に示すように、ＬＣＤ１３にその撮影画像情報と、「所定の時間前に同じような撮影を行なっています。取り直しの撮影ですか？」というような取り直しの撮影か否かをユーザに確認する文字とが表示される。なお、所定の時間とは、直近にされた撮影が、現在行なわれようとしている撮影からどれくらい前にされたかにより適宜変更されるものである。
【００４６】
ユーザが「ＹＥＳ」を選択して取り直しの撮影であることを入力すると、制御部１１Ｃにより、メモリ１９に記憶されている重要度の低い撮影画像情報、すなわち、直近かつ同じような撮影シーンの撮影画像情報が削除される。これにより、メモリ１９に記憶されているデータ容量が減らされて空き容量が確保されるので、操作部９において設定された撮影条件の変更等を行わなくても、取得する撮影画像情報をメモリ１９に記憶することが可能になる。
【００４７】
一方、ユーザが「ＮＯ」を選択して取り直しの撮影でないことを入力すると、メモリ１９に記憶されている撮影画像情報が削除されず、空き容量不足のために撮影は開始されない。
また、メモリ１９Ｃにおいて同じような撮影シーンの撮影画像情報が記憶されていない場合にも、メモリ１９に記憶されている撮影画像情報が削除されず、空き容量不足のために撮影は開始されない。
【００４８】
以上本実施形態に係るディジタルカメラ１Ｃによれば、連写撮影を行うための空き容量が不足した場合に、メモリ１９に記憶されている撮影画像情報のうち、時間的に近接し、かつ、これから行われる撮影と同じような撮影シーンの撮影画像情報が削除されてメモリ１９の空き容量が確保されるので、重複するような撮影画像情報を効率よく削除して連写撮影を行なうことができる。
【００４９】
なお、本実施形態においては、直近に撮影された撮影画像情報を削除することとしたが、例えば、直近に撮影された撮影画像情報の中で、ピントが一番合っているものや高周波成分が一番高いものを代表画像として削除せずに残すこととしてもよい。
【００５０】
〔第４の実施形態〕
次に、本発明の第４の実施形態に係るディジタルカメラ１Ｄについて説明する。
本実施形態に係るディジタルカメラ１Ｄは、制御部１１Ｄが、サムネイル画像データの削除に代えて、メモリ１９に記憶されている撮影画像情報を読み出して圧縮し、メモリ１９に再度記憶させる点が第１の実施形態と異なる。
以下、第１の実施形態に係るディジタルカメラ１と構成を共通する箇所には、同一符号を付して説明を省略する。
【００５１】
制御部１１Ｄは、容量検出部２１により検出されたメモリ１９の空き容量から、メモリ１９に記憶されている撮影画像情報の画像サイズの全てのデータ容量（以下、単に「総記憶容量」という。）ｅを算出するようになっている。
【００５２】
本実施形態に係るディジタルカメラ１Ａの連写撮影時の動作を説明する。
制御部１１Ｄにおいて、取得画像容量ａが記憶可能容量ｂより大きく、連写撮影が不可能と判断されると、総記憶容量ｅが算出され、取得画像容量ａおよび総記憶容量ｅに基づいて、メモリ１９の空き容量を確保するために必要な圧縮率が算出される。
【００５３】
そして、制御部１１Ｄにより、図６に示すように、圧縮前の撮影画像情報と圧縮後の撮影画像情報とがＬＣＤ１３に表示されるとともに、「この画質でよいですか？」というようなユーザに画質の確認する文字が表示される。これにより、ユーザが圧縮後の撮影画像情報の画質を判断した上で圧縮を行なうことができる。
【００５４】
ユーザが「ＯＫ」を選択すると、制御部１１Ｄにより、メモリ１９に記憶されている全ての撮影画像情報が読み出され、読み出された撮影画像情報がそれぞれ均等に圧縮率を下げられて再度記憶される。これにより、メモリ１９に記憶されているデータ容量が減らされて空き容量が確保されるので、操作部９において設定された撮影条件の変更等を行わなくても、取得した撮影画像情報をメモリ１９に記憶することが可能になる。
一方、ユーザが「ＮＧ」を選択すると、圧縮が行なわれず、空き容量不足のために撮影は開始されない。
【００５５】
以上本実施形態に係るディジタルカメラ１Ｄによれば、連写撮影を行うためのメモリ１９の空き容量が不足した場合に、メモリ１９に記憶されている撮影画像情報が圧縮されて空き容量が確保されるので、メモリ１９に記憶されている撮影画像情報を残して連写撮影を行なうことができる。
【００５６】
なお、本実施形態においは、メモリ１９に記憶されている全ての撮影画像情報に対して、それぞれ均等に圧縮率を下げることとしたが、これに代えて、例えば、各連写撮影の複数枚の撮影画像情報を読み出して連結した後圧縮し、メモリ１９に再度記憶させることとしてもよい。具体的には、各撮影画像情報を保存するファイルを読み出し、ＴＡＲ形式などの公知の連結形式により一旦連結し、連結したファイルをＺＩＰ形式やＬＨＡ形式などの公知の圧縮形式により圧縮することとすればよい。
【００５７】
このようにすることで、メモリ１９に記憶されている撮影画像情報の量が多く、ファイル管理用の領域が多く必要となる場合であっても、各撮影画像情報を個々に圧縮する場合に比べて、撮影画像情報の管理用の領域を有効に使うことができ、効率よく空き容量を確保することができる。この場合、圧縮されたファイルは、一旦ＰＣなどに転送して伸張処理を行うことで、連結圧縮前の状態に戻すことができる
【００５８】
以上、本発明の実施形態について図面を参照して詳述してきたが、具体的な構成はこの実施形態に限られるものではなく、本発明の要旨を逸脱しない範囲の設計変更等も含まれる。
なお、本発明は、上記の各実施形態に適用したものに限られるものではなく、これらの実施形態を適宜組み合わせた実施形態に適用してもよい。例えば、連写撮影を行うための空き容量が不足した場合に、制御部１１が、メモリ１９の空き容量を確保する上記各実施形態に記載の処理方法のうち連写撮影が可能になる方法を自動的に選択することとしてもよい。
また、制御部１１が選択した連写撮影が可能な方法をＬＣＤ１３を介してユーザに通知して、ユーザが選択肢の中からメモリ１９の空き容量を確保する処理方法を選択することとしてもよい。
【図面の簡単な説明】
【００５９】
【図１】本発明の第１の実施形態に係るディジタルカメラの概略構成を示すブロック図である。
【図２】図１のディジタルカメラの連写撮影の動作を示すフローチャート図である。
【図３】本発明の第２の実施形態に係るディジタルカメラの撮影画像情報に対する優先順位を示した図である。
【図４】本発明の第２の実施形態の変形例に係るディジタルカメラの概略構成を示すブロック図である。
【図５】本発明の第３の実施形態に係るディジタルカメラの撮影画像情報の削除についての確認画面を示した図である。
【図６】本発明の第４の実施形態に係るディジタルカメラの撮影画像情報の圧縮についての確認画面を示した図である。
【符号の説明】
【００６０】
１  ディジタルカメラ
９  操作部
１１  制御部
１９  メモリ（画像記憶部）
２１  容量検出部（空き容量検出部）
【図１】
2009044296.tif 000003
【図２】
2009044296.tif 000004
【図３】
2009044296.tif 000005
【図４】
2009044296.tif 000006
【図５】
2009044296.tif 000007
【図６】
2009044296.tif 000008